(57)【要約】【課題】箱型容器の頂部を切妻屋根状に加工したゲーブルトップ型の飲料用紙製容器において、切妻屋根状の頂部における端面折り込み部を販売促進用情報表示面として利用することにより容器内封商品の販売促進効果を向上させる。【解決手段】上記切妻屋根状の頂部における端面折り込み部に情報印刷欄を設ける。当該容器の密閉状態では端面折り込み部が谷折りされていることにより情報印刷欄は折り曲げられて容器外部から視認しにくい袋綴じ状態とされている。また切妻屋根状の頂部は一対の端面折り込み部を備えるが、このうち一方の端面折り込み部を開封口として指定するとともに他方の端面折り込み部に情報印刷欄を設ける。【選択図】図１
2015016869.tif 000002
【特許請求の範囲】
【請求項１】
箱型容器の頂部を切妻屋根状に加工したゲーブルトップ型の飲料用紙製容器であって、
前記切妻屋根状の頂部における端面折り込み部に情報印刷欄を設け、
当該容器の密閉状態では前記端面折り込み部が谷折りされていることにより前記情報印刷欄が折り曲げられて容器外部から視認しにくい袋綴じ状態とされていることを特徴とする情報印刷欄付き飲料用紙製容器。
【請求項２】
請求項１記載の情報印刷欄付き飲料用紙製容器であって、
前記切妻屋根状の頂部は一対の端面折り込み部を備え、このうち一方の端面折り込み部を開封口として指定するとともに他方の端面折り込み部に前記情報印刷欄を設けたことを特徴とする情報印刷欄付き飲料用紙製容器。
【請求項３】
請求項１又は２記載の情報印刷欄付き飲料用紙製容器であって、
前記端面折り込み部に前記情報印刷欄が設けられていることを表示又は示唆する第２情報印刷欄を前記切妻屋根状の頂部における斜面上に設けたことを特徴とする情報印刷欄付き飲料用紙製容器。
【請求項４】
請求項１乃至３の何れかに記載した情報印刷欄付き飲料用紙製容器であって、
前記情報印刷欄に印刷した情報と関連するコンテンツ情報を送信要求するためのコード情報を有する２次元コードを当該容器に掲載したことを特徴とする情報印刷欄付き飲料用紙製容器。
【請求項５】
請求項４記載の情報印刷欄付き飲料用紙製容器であって、
前記２次元コードを当該容器の前記端面折り込み部における三角形状の斜面の外面部又は三角形状の左右両片の裏面部に掲載したことを特徴とする情報印刷欄付き飲料用紙製容器。
【請求項６】
請求項４又は５記載の２次元コードを読み取ってコード情報をコンテンツ供給サーバへ送信する利用者側携帯端末と、前記コード情報に対応するコンテンツ情報を前記利用者側携帯端末へ送信するコンテンツ供給サーバとを備えることを特徴とする情報印刷欄付き飲料用紙製容器を用いるコンテンツ供給システム。
【発明の詳細な説明】
【技術分野】
【０００１】
本発明は、情報印刷欄付き飲料用紙製容器、及び情報印刷欄付き飲料用紙製容器を用いるコンテンツ供給システムに関する。
【背景技術】
【０００２】
昨今、箱型容器の頂部を切妻屋根状に加工したゲーブルトップ型の飲料用紙製容器が軽量で簡便であることから多用されている（特許文献１参照）。
【０００３】
この容器の外面にはその略全面に亙って商品表示などがカラフルに印刷されているが、切妻屋根状の頂部における端面折り込み部はこれが谷折りされて容器外部から視認しにくい部位であることから、ほとんど無印刷となっている。
【０００４】
したがってこの端面折り込み部を新たな販売促進用情報表示面として利用することが考えられ、本発明をなすに至ったものである。
【先行技術文献】
【特許文献】
【０００５】
【特許文献１】特開２０１３−８６８６５号公報
【発明の概要】
【発明が解決しようとする課題】
【０００６】
本発明は以上の点に鑑みて、切妻屋根状の頂部における端面折り込み部を販売促進用情報表示面として利用することにより容器内封商品の販売促進効果を向上させることを目的とする。
【課題を解決するための手段】
【０００７】
上記目的を達成するため、本発明の請求項１による情報印刷欄付き飲料用紙製容器は、箱型容器の頂部を切妻屋根状に加工したゲーブルトップ型の飲料用紙製容器であって、前記切妻屋根状の頂部における端面折り込み部に情報印刷欄を設け、当該容器の密閉状態では前記端面折り込み部が谷折りされていることにより前記情報印刷欄が折り曲げられて容器外部から視認しにくい袋綴じ状態とされていることを特徴とする。
【０００８】
また、本発明の請求項２による情報印刷欄付き飲料用紙製容器は、上記した請求項１記載の情報印刷欄付き飲料用紙製容器であって、前記切妻屋根状の頂部は一対の端面折り込み部を備え、このうち一方の端面折り込み部を開封口として指定するとともに他方の端面折り込み部に前記情報印刷欄を設けたことを特徴とする。
【０００９】
また、本発明の請求項３による情報印刷欄付き飲料用紙製容器は、上記した請求項１又は２記載の情報印刷欄付き飲料用紙製容器であって、前記端面折り込み部に前記情報印刷欄が設けられていることを表示又は示唆する第２情報印刷欄を前記切妻屋根状の頂部における斜面上に設けたことを特徴とする。
【００１０】
また、本発明の請求項４による情報印刷欄付き飲料用紙製容器は、上記した請求項１乃至３の何れかに記載した情報印刷欄付き飲料用紙製容器であって、前記情報印刷欄に印刷した情報と関連するコンテンツ情報を送信要求するためのコード情報を有する２次元コードを当該容器に掲載したことを特徴とする。
【００１１】
また、本発明の請求項５による情報印刷欄付き飲料用紙製容器は、上記した請求項４記載の情報印刷欄付き飲料用紙製容器であって、前記２次元コードを当該容器の前記端面折り込み部における三角形状の斜面の外面部又は三角形状の左右両片の裏面部に掲載したことを特徴とする。
【００１２】
更にまた、本発明の請求項６による情報印刷欄付き飲料用紙製容器を用いるコンテンツ供給システムは、上記した請求項４又は５記載の２次元コードを読み取ってコード情報をコンテンツ供給サーバへ送信する利用者側携帯端末と、前記コード情報に対応するコンテンツ情報を前記利用者側携帯端末へ送信するコンテンツ供給サーバとを備えることを特徴とする。
【００１３】
上記構成を備える本発明の飲料用紙製容器においては、切妻屋根状の頂部における端面折り込み部に情報印刷欄が設けられ、しかも当該容器の密閉状態では端面折り込み部が谷折りされていることにより情報印刷欄が折り曲げられて容器外部から視認しにくい袋綴じ状態とされているため、消費者は商品を購入しなければ端面折り込み部を開くことができず、ここに設けた情報印刷欄に印刷された情報を見ることができない。したがってここに印刷された情報を一種の隠れたおまけとして消費者の購入意欲を高めることが可能とされる。
【００１４】
尚、切妻屋根状の頂部にはその両端に位置して一対の端面折り込み部が備えられ、このうち一方が開封口（飲み口）として開封され、他方は閉塞されたままとされるのが一般であるところ、開封口とするほうの端面折り込み部に情報印刷欄を設けると、開封後水分の吸収などにより端面折り込み部が変形したり破れたり変色したりして情報を読みにくくなることが懸念される。そこで、これに対策するには、一方の端面折り込み部を開封口として指定するとともに他方の端面折り込み部に情報印刷欄を設けるのが好適であり、これによれば、他方の端面折り込み部は糊閉じが開かれても開封はされないため、水分により変形したり破れたり変色したりするのを抑制することが可能とされる。
【００１５】
また、端面折り込み部に情報印刷欄が設けられていることを表示又は示唆する第２情報印刷欄を切妻屋根状の頂部における斜面上（斜面外面）に併せ設けるようにすると、こちらのほうは当初より人目に付くため、隠れたおまけの存在を大きくアピールすることが可能とされる。
【００１６】
例えば上記第２情報印刷欄には、有名な漫画の１コマを印刷し、隠れたおまけの情報印刷欄には、その発展型の１コマを印刷する。このようにすれば当該漫画に興味を持つ消費者は、発展型の１コマを見る楽しみを持って商品を購入する可能性が高くなる。
【００１７】
さらに、発展型の１コマを見ると、その続きを見たくなるのが人情である。そこで、これを利用して、更なるおまけを用意し、上記の例で云えば、上記コマが入った１話分の漫画（例えば５０コマ）をＷＥＢ上のコンテンツ情報として消費者に提供する。
【００１８】
この場合、容器には、情報印刷欄に印刷した情報と関連するコンテンツ情報を送信要求するためのコード情報を有する２次元コードを掲載する。２次元コードを掲載する位置としては当該容器の側面などの外面で良いが、商品購入前に２次元コードが読み取られるのを抑制する観点からすれば、２次元コードを容器外部から視認しにくい位置に掲載するのが好適であり、このような場合には、２次元コードを当該容器の端面折り込み部における三角形状の斜面の外面部又は三角形状の左右両片の裏面部に掲載する。
【００１９】
また、このようなコンテンツ供給を可能とするため、２次元コードを読み取ってコード情報をコンテンツ供給サーバへ送信する利用者側携帯端末と、コード情報に対応するコンテンツ情報を前記利用者側携帯端末へ送信するコンテンツ供給サーバとを備えるコンテンツ供給システムを構築する。
【発明の効果】
【００２０】
以上説明したように本発明によれば、ゲーブルトップ型の飲料用紙製容器の切妻屋根状の頂部における端面折り込み部を販売促進用情報表示面として利用することにより、容器内封商品の販売促進効果を向上させることができる。隠れたおまけとしては、消費者の年齢層や性別、嗜好などに応じて諸種の情報のなかから任意に選択することができ、その促販効果はきわめて大きいと考えられる。
【図面の簡単な説明】
【００２１】
【図１】本発明の実施例に係る飲料用紙製容器を示す図であって、（Ａ）はその密閉状態を示す斜視図、（Ｂ）は端面折り込み部を開いた状態を示す斜視図
【図２】同容器が備える情報印刷欄及び第２情報印刷欄に印刷する情報の一例を示す図であって、（Ａ）は第２情報印刷欄に印刷する情報の説明図、（Ｂ）は情報印刷欄に印刷する情報の説明図
【図３】本発明の実施例に係るコンテンツ供給システムの説明図
【図４】同システムが備えるコンテンツ供給サーバの説明図
【図５】同システムのフローチャート
【発明を実施するための形態】
【００２２】
つぎに本発明の実施例を図面にしたがって説明する。
【００２３】
図１（Ａ）は、本発明の実施例に係る情報印刷欄付き飲料用紙製容器１１の密閉状態を示している。この容器１１は、箱型容器の頂部１２を切妻屋根状に加工したゲーブルトップ型の飲料用紙製容器であって、切妻屋根状の頂部１２における端面折り込み部１３Ｂに図上点線で示す情報印刷欄（第１情報印刷欄）１４が設けられている。図示するように当該容器１１の密閉状態では、端面折り込み部１３Ｂが谷折りされていることにより情報印刷欄１４は折り曲げられて容器外部から視認しにくい袋綴じ状態とされており、これに対し図１（Ｂ）に示すように端面折り込み部１３Ｂの左右両片（左右の三角形状の折り曲げ部）１３Ｂａ，１３Ｂｂの糊閉じを剥がして両片１３Ｂａ，１３Ｂｂを左右に開くと、横長の長方形状をなす情報印刷欄１４の全面が明確に視認される。したがって横長長方形状の情報印刷欄１４は、端面折り込み部１３Ｂにおける三角形状の斜面１３Ｂｃの外面部と左右両片１３Ｂａ，１３Ｂｂの裏面部とに亙って設けられている。
【００２４】
尚、切妻屋根状の頂部１２にはその両端に位置して一対の端面折り込み部１３Ａ，１３Ｂが備えられているところ、このうち一方の端面折り込み部１３Ａが開封口（飲み口）として指定されるとともに、他方の端面折り込み部１３Ｂに情報印刷欄１４が設けられている。指定の方法としては、一方の端面折り込み部１３Ａの近くに開封口（又は飲み口若しくは開け口）と文字印刷（図示せず）するとともに図示するような矢印等の指標１５を印刷することが多い。
【００２５】
また、切妻屋根状の頂部１２における一方又は双方の斜面１６上に、図上点線で示す第２情報印刷欄１７が設けられている。
【００２６】
情報印刷欄１４及び第２情報印刷欄１７に印刷する情報としては例えば、以下のものが挙げられる。但しこれらは単なる例示であって、本発明はこれらの例示に限定されるものではない。
【００２７】
第１例・・・・
漫画（コミック）を印刷する。すなわち斜面１６上の第２情報印刷欄１７に、図２（Ａ）に示すような有名な漫画の１コマ１８を印刷する。コマ１８内ではキャラクター１９が何か話をしており、そのための吹き出し２０が設けられているが、この吹き出し２０のなかは空白（セリフなし）となっている。コマ１８の隣りには、ひきつづき端面折り込み部１３Ｂの情報印刷欄１４をご覧くださいとの趣旨のメッセージ（図示せず）が添えられている。一方、端面折り込み部１３Ｂの情報印刷欄１４には、図２（Ｂ）に示すように上記と同じ１コマ１８が印刷されているが、こちらのほうは吹き出し２０のなかにセリフ２１が印刷されている。セリフ２１は当該漫画における有名ないわゆる名言であることが多く、当該漫画に興味を持つ消費者は、この名言を見る楽しみを持って商品を購入する可能性が高くなる。
【００２８】
第２例・・・・
クイズ（問い）とその答えを印刷する。すなわち斜面１６上の第２情報印刷欄１７に消費者が興味を持ちそうな内容のクイズを印刷し、一方、端面折り込み部１３Ｂの情報印刷欄１４にその答えを印刷する。当該クイズに興味を持つ消費者は、その答えを見る楽しみを持って商品を購入する可能性が高くなる。
【００２９】
上記情報印刷欄１４及び第２情報印刷欄１７に印刷する情報としては、上記２例のように商品と直接の関連がない内容であっても良く、また商品と関連がある内容であっても良い。後者の例としては、新商品の発表やクーポン券の提供などがある。
【００３０】
つぎに、上記情報印刷欄付き飲料用紙製容器１１を用いるコンテンツ供給システムの一例について説明する。
【００３１】
図１の容器１１には、上記したところの更なるおまけを提供するものとして、消費者に対してＷＥＢ上のコンテンツ情報を提供する仕組みが組み込まれており、具体的には、情報印刷欄１４に印刷した情報と関連するコンテンツ情報を送信要求するためのコード情報を有する２次元コード（ＱＲコード（登録商標））２２が容器１１の外面であって側面上に印刷されている。また、この２次元コード２２の隣りには、漫画の続きをここから読もう、隣りの２次元コードを読み取ってくださいとの趣旨のメッセージ（図示せず）が添えられている。
【００３２】
尚、商品購入前に２次元コード２２が読み取られるのを抑制する観点からすれば、２次元コード２２はこれも容器外部から視認しにくい（撮影されにくい）位置に掲載するのが好適であり、このような場合には、２次元コード２２を当該容器１１の端面折り込み部１３Ｂの内面（三角形状の斜面１３Ｂｃの外面部又は三角形状の左右両片１３Ｂａ，１３Ｂｂの裏面部）に掲載するのが効果的であり、内面のうちでも特に三角形状の左右両片１３Ｂａ，１３Ｂｂの裏面部に掲載するのが一層効果的である。
【００３３】
また、このようなコンテンツ情報の提供を可能とするため、図３に示すように上記２次元コード２２を読み取ってコード情報をコンテンツ供給サーバ４１へ送信する利用者側携帯端末３１と、コード情報に対応するコンテンツ情報を利用者側携帯端末３１へ折り返し送信するコンテンツ供給サーバ４１が設けられ、これらが移動端末通信システムやネットワーク等の通信回線５１を介して互いに接続される。
【００３４】
利用者側携帯端末３１としては、コード読み取り機能を備えるカメラ付き携帯電話端末が多用される。一方、コンテンツ供給サーバ４１としては図４に示すように、送受信部、制御部及び受信データ記憶部のほかに、受信したコード情報を適正コード規格と比較してコード情報が適正であるか否かを判定する受信データ判定部や、受信したコード情報に対応するコンテンツ情報をデータベースから抽出して送信メッセージに貼り付けることより送信データを作成する送信データ作成部が備えられる。
【００３５】
そして、作動としては図５に示すように、利用者側携帯端末３１からのコード情報を受信する、コード情報を記憶する、コード情報が適正であるか否かを判定する、コード情報が不適正である場合には送信拒否の処理をする、コード情報が適正である場合には、対応するコンテンツ情報をデータベースから選定し送信データを作成する、送信データを利用者側携帯端末へ送信する、の手順を順次実行する。
【００３６】
送信するコンテンツ情報としては例えば、上記漫画の例で云えば、情報印刷欄１４及び第２情報印刷欄１７に印刷した漫画のコマ１８が入った１話分の漫画（例えば５０コマ）である。上記クイズの例で云えば、その答えに至る理由等の解説である。したがって利用者（消費者）は、手元の携帯端末３１でこれらのコンテンツを見て楽しむことができる。
【符号の説明】
【００３７】
１１  飲料用紙製容器
１２  頂部
１３Ａ，１３Ｂ  端面折り込み部
１４  情報印刷欄
１５  指標
１６  斜面
１７  第２情報印刷欄
１８  コマ
１９  キャラクター
２０  吹き出し
２１  セリフ
２２  ２次元コード
３１  利用者側携帯端末
４１  コンテンツ供給サーバ
５１  通信回線
【図１】
2015016869.tif 000003
【図２】
2015016869.tif 000004
【図３】
2015016869.tif 000005
【図４】
2015016869.tif 000006
【図５】
2015016869.tif 000007